(57)【要約】  簡素な構成でホースの巻き取りがし易いホースリールを提供するものである。  フレームにホースを巻き取る巻き取りドラムが回転可能に取り付けられ、前記巻き取りドラムにホースが巻き取られる時に、該ホースが通過する経路に該ホースと接触して前記巻き取りドラムと平行な軸芯周りで回転する回転体が備えられたホースリールであって、前記回転体を、前記巻き取りドラムの巻き取り側への回転に伴ってホースが該巻き取りドラムから離間する側へ張り出すことを接当阻止するべく、上下方向一方側に配置した。
2007080747.tif 000002
【特許請求の範囲】
【請求項１】
フレームにホースを巻き取る巻き取りドラムが回転可能に取り付けられ、前記巻き取りドラムにホースが巻き取られる時に、該ホースが通過する経路に該ホースと接触して前記巻き取りドラムと平行な軸芯周りで回転する回転体が備えられたホースリールであって、前記巻き取りドラムの巻き取り側への回転に伴ってホースが該巻き取りドラムから離間する側へ張り出すことを接当阻止するべく、前記回転体を上下方向一方側に配置したことを特徴とするホースリール。
【請求項２】
前記回転体が、それの表面に前記ホースを左右方向中央に誘導するための螺旋状の溝が左右中央部を挟んで左右対称形に形成されたガイドローラーから構成されている請求項１に記載のホースリール。
【請求項３】
前記フレーム間に、前記回転体が回転自在に支持されている請求項１又は２に記載のホースリール。
【請求項４】
前記フレームが前記巻き取りドラムを覆うケースから構成され、該ケースの一部を開口してホースの出入り口に構成するとともに、該ケースの左右側壁部に前記回転体が回転自在に支持されている請求項１又は２に記載のホースリール。
【請求項５】
前記出入り口に、該出入り口を出入りするホースに接触するブラシを備えさせている請求項４に記載のホースリール。
【請求項６】
前記ケースの内部に、ホースの表面に洗浄用水を供給するための供給パイプを備えさせ、該供給パイプに洗浄用水を供給するための供給口を前記ケースに備えさせている請求項４に記載のホースリール。
【請求項７】
前記ケースの内部に、ホースの表面に洗浄用水を供給するための供給パイプを備えさせ、該供給パイプに洗浄用水を供給するための供給口を前記ケースに備えさせ、前記供給パイプを前記ホースの出入り口付近に配置し、該供給パイプに該ホースの出入り口から出入りするホースに接触するべく、前記ブラシを構成するブラシ毛の一端を取り付けている請求項４に記載のホースリール。
【請求項８】
前記ホースを、前記巻き取りドラムにそれの上縁側から後縁を回って下縁へ下り、前縁側へ回って巻回するように該巻き取りドラムを回転させる構成とし、前記回転体を前記巻き取りドラムにて巻き取られるホースに上方から接当するように該巻き取りドラムの回転軸芯よりも上方位置に配置している請求項１に記載のホースリール。
【発明の詳細な説明】
【技術分野】
【０００１】
本発明は、主として散水などに用いられるホースを巻き取り保管するためのホースに関する。
【背景技術】
【０００２】
従来、ホースリールとして種々のものが提案されており、ホースの巻き取りや繰り出しを容易にするものとして、ホースの出入り口に上下一対のローラー（特許文献２ではホース案内管という）を備えさせ、それら上下のローラー間にホースが位置するように構成したホースリールが提案されている（例えば、特許文献１及び特許文献２参照）。
【特許文献１】日本国特開昭５１−１０２３９７号
【特許文献２】日本国実開昭５２−１４６７２０号
【発明の開示】
【発明が解決しようとする課題】
【０００３】
上記２つの特許文献のいずれにおいても、上下一対のローラーを必要とすることから、部品点数の増大化を招くだけでなく、ホースリール全体が大型化する不都合があった。
又、上下一対のローラー間を通るホースと該上下のローラーとの隙間が少ない状態で構成されているホースリールでは、手動ハンドルにて巻き取りドラムを一定速度にて回転させることができないと、巻き取りドラムにホースが上下方向に振れながら巻き取られることになるため、ホースが上下のローラーに頻繁に接触しながら巻き取られることになる。このようにホースがローラーに接触する度にその接触力が巻き取り抵抗となり、ホースの巻き取りや繰り出しを容易にするために備えさせた一対のローラーが実際には巻き取り力を大きくしてしまう原因になっていた。【０００４】
本発明が前述の状況に鑑み、解決しようとするところは、簡素な構成でホースの巻き取りがし易いホースリールを提供するものである。
【課題を解決するための手段】
【０００５】
本発明のホースリールは、前述の課題解決のために、フレームにホースを巻き取る巻き取りドラムが回転可能に取り付けられ、前記巻き取りドラムにホースが巻き取られる時に、該ホースが通過する経路に該ホースと接触して前記巻き取りドラムと平行な軸芯周りで回転する回転体が備えられたホースリールであって、前記巻き取りドラムの巻き取り側への回転に伴ってホースが該巻き取りドラムから離間する側へ張り出すことを接当阻止するべく、前記回転体を上下方向一方側に配置したことを特徴としている。
上記のように巻き取りドラムの巻き取り側への回転に伴ってホースが巻き取りドラムから離間する側へ張り出されたときに、ホースが回転体に接当し、そのときホースによって回転体が回転することによって、回転体がホースの巻き取り抵抗になることがない又は巻き取り抵抗になることが少ない。しかも、前記巻き取りドラムの回転速度を一定にすることができない場合でも、ホースが巻き取りドラムに接近するだけで、ホースに巻き取り負荷が加わることがなく、ホースをスムーズに巻き取ることができる。【０００６】
前記回転体が、それの表面に前記ホースを左右方向中央に誘導するための螺旋状の溝が左右中央部を挟んで左右対称形に形成されたガイドローラーから構成されている場合には、巻き取りドラムに巻き取られるホースを左右方向中央部に誘導しやすくなり、該ホースが巻き取りドラムの回転軸芯方向両側に偏って巻き取られることがない。【０００７】
前記フレーム間に、前記回転体が回転自在に支持されてもよい。【０００８】
前記フレームが前記巻き取りドラムを覆うケースから構成され、該ケースの一部を開口してホースの出入り口に構成するとともに、該ケースの左右側壁部に前記回転体が回転自在に支持されてもよい。【０００９】
前記出入り口に、該出入り口を出入りするホースに接触するブラシを備えさせてもよい。【００１０】
前記ケースの内部に、ホースの表面に洗浄用水を供給するための供給パイプを備えさせ、該供給パイプに洗浄用水を供給するための供給口を前記ケースに備えさせてもよい。【００１１】
前記ケースの内部に、ホースの表面に洗浄用水を供給するための供給パイプを備えさせ、該供給パイプに洗浄用水を供給するための供給口を前記ケースに備えさせ、前記供給パイプを前記ホースの出入り口付近に配置し、該供給パイプに該ホースの出入り口から出入りするホースに接触するべく、前記ブラシを構成するブラシ毛の一端を取り付けてもよい。【００１２】
前記ホースを、前記巻き取りドラムにそれの上縁側から後縁を回って下縁へ下り、前縁側へ回って巻回するように該巻き取りドラムを回転させる構成とし、前記回転体を前記巻き取りドラムにて巻き取られるホースに上方から接当するように該巻き取りドラムの回転軸芯よりも上方位置に配置してもよい。
【発明の効果】
【００１３】
巻き取りドラムの巻き取り側への回転に伴ってホースが該巻き取りドラムから離間する側へ張り出すことを接当阻止するべく、回転体を上下方向一方側に配置することによって、ホース案内用の上下一対のローラーを備えさせる場合に比べて、簡素な構成にしてホースリールの小型化を図ることができるだけでなく、巻き取りドラムを一定速度で回転できない場合でも、上下一対のローラー間をホースを案内させる構成の場合のようにホースが上下のローラーに頻繁に接当することがないから、軽快な操作力でスムーズにホースを巻き取りドラムに巻き取ることができる。【００１４】
前記回転体が、それの表面に前記ホースを左右方向中央に誘導するための螺旋状の溝が左右中央部を挟んで左右対称形に形成されたガイドローラーから構成されている場合には、巻き取りドラムの回転により巻き取られるホースを左右方向中央部に誘導しやすくなり、該ホースが巻き取りドラムの回転軸芯方向両側に偏って巻き取られることがないから、ホースを巻き取りドラムの回転軸芯方向に均等に巻き取ることが可能になり、ホースが巻き取りドラムの回転軸芯方向両側において例えば巻き取りドラムの鍔部と左右のフレーム（又はケースの左右側壁）の狭い隙間に食い込んでしまい、ホースが変形したり、巻き取りドラムの回転抵抗になったりすることを回避しやすくなり、トラブル発生の少ないホースリールとすることができる。【００１５】
前記フレーム間に、前記回転体を回転自在に支持させることによって、回転体に対する支持部材を別に備えさせる必要がなく、部品点数の削減化を図ることができる。【００１６】
前記フレームが前記巻き取りドラムを覆うケースから構成され、該ケースの一部を開口してホースの出入り口に構成するとともに、該ケースの左右側壁部に前記回転体を回転自在に支持させる場合には、回転体に対する支持部材を別に備えさせる必要がなく、部品点数の削減化を図ることができる。【００１７】
前記出入り口に、該出入り口を出入りするホースに接触するブラシを備えさせている場合には、ホースを巻き取る又は繰り出す時に、出入り口を出入りするホースにブラシが接触することにより、ホースに付着している泥や砂あるいは塵などを掻き取ることができる。【００１８】
前記ケースの内部に、ホースの表面に洗浄用水を供給するための供給パイプを備えさせ、該供給パイプに洗浄用水を供給するための供給口を前記ケースに備えさせることによって、供給口を介して供給パイプに洗浄用水を供給するだけで、ケース内に備えさせた供給パイプを介してホースに洗浄用水を供給して、ホースを洗浄することができる。【００１９】
前記ケースの内部に、ホースの表面に洗浄用水を供給するための供給パイプを備えさせ、該供給パイプに洗浄用水を供給するための供給口を前記ケースに備えさせ、前記供給パイプを前記ホースの出入り口付近に配置し、該供給パイプに該ホースの出入り口から出入りするホースに接触するべく、前記ブラシを構成するブラシ毛の一端を取り付けている場合には、前記と同様に、ケース内に備えさせた供給パイプを介してホースに洗浄用水を供給して、ホースを洗浄することができながらも、ブラシ毛を取り付ける別の部材を備えさせる必要がなく、部品点数の削減化を図ることができる。
【図面の簡単な説明】
【００２０】
【図１】ホースリールを前方側で切断した縦断正面図である。
【図２】図１におけるＩ−Ｉ線断面図である。
【図３】ホースリールを前後方向中央で切断した縦断正面図である。
【図４】ホースリールの底面図である。
【図５】ホースリールの正面図である。
【図６】ケースの無い別のホースリールを示す斜視図である。
【図７】ブラシを備えた別のホースリールを示す斜視図である。
【図８】図７で示したホースリールの出入り口付近の斜視図である。
【図９】（ａ）はホースリールの別の出入り口付近を示す正面図、（ｂ）は（ａ）で示した出入り口に備えたホルダーの一部を示す底面図である。
【図１０】図９で示した出入り口付近の縦断側面図である。
【図１１】ホース洗浄用の水を供給するための供給パイプをケース内に備えた別のホースリールの縦断側面図である。
【図１２】第２の回転体を取り付けたホースリールを前方側で切断した縦断正面図である。
【図１３】第３の回転体を取り付けたホースリールを前方側で切断した縦断正面図である。
【図１４】第４の回転体を示す正面図である。
【図１５】回転部材上にホースリールを設置した状態を示す斜視図である。
【図１６】収納式のハンドルの取付部を示す縦断面図である。
【符号の説明】
【００２１】
１…フレーム（ケース）、１Ａ…分割ケース部、１Ｂ…延出部、１ａ…側壁、２…ホース、３…巻き取りドラム、４…ガイドローラー（回転体）、５…脚部、６…ニップル、７…ハンドル、８…蓋部材、９…軸部、１０…アーム、１０Ａ…凹部、１１…出入り口、１２，１３…ブラシ、１４…ホルダー、１４Ａ，１４Ｂ…凹部、１４Ｃ…水排出口、１４Ｄ…案内通路、１５…枠部材、１５Ａ…取込口、１６…供給パイプ、１７…保持部材、１８…柱部材（回転体）、１８Ａ，１８Ｂ…テーパー面、１９…棒状体、２０，２１…螺旋体、２２…回転部材、３１…筒部、３２…鍔部、４１，４２…溝、５１…開口部、Ｎ…散水ノズル、Ｔ…取っ手、Ｘ１，Ｘ２，Ｘ３…軸芯
【発明を実施するための最良の形態】
【００２２】
図１は本発明のホースリールの実施形態の一例を示す縦断正面図である。
図において１はフレームであり、このフレーム１は、巻き取りドラム３を回転自在に支持している。この例においては、フレーム１は巻き取りドラム３を覆うケースとなされており、このケース１の一部が開口されてホース２の出入り口１１（図２及び図５参照）となされている。ホース２の一端が使用時にこの出入り口１１から繰り出され、収納時には巻き取りドラム３に巻き取られる。前記ホース２の出入り口１１は、前記ケース１の前壁の上方のほぼ１／３の範囲に形成されているが、ケースの前壁の上側半分又は全域に渡って形成してもよく、出入り口１１の大きさは自由に変更できる。又、前記ケース１の前壁の上下方向中央箇所又は下方箇所に出入り口１１を形成することもでき、形成する箇所は自由に変更することができる。【００２３】
前記ケース１は、軽量化を図ることができるように合成樹脂製で構成する他、金属又は木等であってもよい。又、図１及び図５では、左右一対の分割ケース部１Ａ，１Ａを左右中央で連結してケース１を構成しているが、単一の部材から構成してもよいし、３つ以上の部材から構成することもできる。【００２４】
図２は図１のＩ−Ｉ線断面図であり、ホース２が巻き取りドラム３に巻き取られるとき、ホース２が通過する経路の上側に該ホース２に上方から接触して巻き取りドラム３の回転軸芯Ｘ１と平行な軸芯Ｘ２周りで回転する回転体であるガイドローラー４が設けられている。ガイドローラー４はそれの両端が回転自在にケース１内壁に支持され、ガイドローラー４の表面には螺旋形の溝４１，４２が左右方向中央部を挟んで左右対称形に設けられ、ガイドローラー４の回転により巻き取られるホース２が左右方向中央部に誘導されるように構成されている。これら回転軸芯方向において互いに巻き方向が反対方向となる螺旋形の溝４１，４２は、ホース２外形に適合する円弧状の溝で、この例ではガイドローラー４が１回転するとホース２が略その外径寸法だけ中央に寄るように構成されている。又、２つの螺旋形の溝４１，４２の回転軸芯方向中心部側始端が回転方向において一致しない状態（位置ずれした状態）にしているが、一致する状態であってもよい。ガイドローラー４は、巻き取りドラム３の巻き取り側への回転に伴ってホース２が巻き取りドラム３から離間する側（上方）へ張り出すことを接当阻止するべく、上下方向上側位置、つまりホース２の上面に当接される位置に設けられている。この例においては、巻き取りドラム３の回転中心から鍔部３２の上端（外周縁）までの高さが１４５ｍｍであり、前記巻き取りドラム３の回転中心を通り前後方向に延びる水平線から真上に位置するガイドローラー４の回転中心までの高さが１２５ｍｍとなっており、鍔部３２の上端に対して２０ｍｍだけガイドローラー４を低い位置に配置しているが、ホース２の直径寸法や巻き取り長さ等に応じてガイドローラー４の上下位置を変更することができる。前記ガイドローラー４の設置位置は、出入り口１１に近い位置でかつドラム３の鍔部３２の上端よりも少し低い位置に設定することが好ましい。【００２５】
ホース２は巻き取られるときに、前記したようにガイドローラー４に当接されホース２の移動に伴ってガイドローラー４が回転されると、ガイドローラー４の表面に形成された螺旋形の溝４１又は４２に沿ってホース２の移動経路が中央に誘導される。このようにホース２の移動経路が中央に誘導されることによりホース２が左右両側に偏って巻き取られることがなく、巻き取りドラム３に左右方向で均等に巻き付けることができるだけでなく、図３に示すように、両端に巻き取られるホース２が鍔部３２を乗り越えて鍔部３２とケース１の左側の側壁１Ａとの間に発生する狭い隙間に食い込んでしまい、ホース２が変形したり、巻き取りドラム３の回転抵抗になったりすることを回避しやすくなる。前記ホース２の巻き取り時に有効となるガイドローラー４をホース２の繰り出し時に、接触することがないように上方へ移動させた退避位置に位置させることができるようにしてもよい。又、前記巻き取りドラム３の回転力をガイドローラー４へ伝達することができるように両者をギヤ機構等の伝導機構を用いて連動連結して実施することもできる。【００２６】
図５は左右一対の脚部５，５を左右方向へ拡げた状態のホースリールの正面図である。ケース１の下端には左右一対の脚部５，５がケース内１に引退した収納位置と左右方向両側へ移動して突出した突出位置とに位置変更自在に設けられ、図５に示した突出位置に脚部５，５を位置させることにより、ホースリールの使用時において転倒やふら付きのないように安定性を高めることができるようになっている。ケース１下端の両側面のそれぞれには、脚部５がスライドできるように開口部が設けられ、この脚部５は不使用時には、ケース１の中にスライドして前記収納位置（図３及び図４参照）に収納されるようになっている。脚部５，５はケース１下端にスライドしてケース１内に収納されるようになっているので、脚部５をケース１内に収納すると、ホースリールがコンパクトになり輸送時や収納時に嵩張らない利点がある。図４は脚部５，５を収納状態にしたホースリールの底面図である。ケース１の底面は開口され、脚部５，５の基端（左右方向内側端）は縁が前後方向において一部切り取られ、脚部５，５の収納状態でもホースリールの下面に複数（図では３つであるが、何個でもよい）の開口部５１が形成されるようになっており、ケース１の底部に形成されている開口（図示せず）からケース１内の水やホース２に付着した汚れ等を複数の開口部５１を通してケース１外に排出できるようになっている。【００２７】
図３はホース２の収納状態を示す縦断正面図である。巻き取りドラム３は内部が中空で円筒状の筒部３１とこの筒部３１の左右両端にそれぞれ外嵌着された円板状の鍔部３２からなり、筒部３１の外周面にホース２が巻き取られるようになっている。ホース２の一端は、巻き取りドラム３の筒部３１の内部に挿通され巻き取りドラム３の左右方向一端側に取り付けられた密閉用の蓋部材８及びケース１の一方（左側）の側壁１ａに貫通突設された吸水側のニップル６の基端（巻き取りドラム３内側端）に接続されている。ホース２の他端は、ケース１に設けられたホース２の出入り口１１からケース１の外へ出され、散水ノズルＮ（図７参照）が接続される。巻き取りドラム３の筒部３１の両端には鍔部３２が設けられ、巻き取られたホース２がケース１内面に接触しないようになっている。一方の鍔部３２の中心、つまり筒部３１の中心には、ケース１の右側の側壁を貫通してケース外へ突出するとともに該筒部３１と一体回転する状態で連結された軸部９を備え、この軸部９に一体形成されたアーム１０の他端にハンドル７が取り付けられ、ハンドル７を水平軸芯周りで回転操作することにより、軸部９を介して巻き取りドラム３を回転させるようになっている。【００２８】
この例ではガイドローラー４が、ホース２の上面に当接される例を示したが、これに限るものではなくホース２の下面に当接されても良い。この場合、巻き取りドラム３の回転方向が反対方向になる。又、フレーム１は巻き取りドラム３を覆うケース１の方が好適であるが、これに限るものではなく、図６に示すように、回転ドラム３が露出したホースリールであっても良い。図６では、左右一対のフレーム１，１間に回転ドラム３を回転自在に支持させ、前記フレーム１，１の上端に前方側に延びる延出部１Ｂ，１Ｂを備えさせ、これら延出部１Ｂ，１Ｂ間にガイドローラー４を回転自在に支持させているが、フレーム１，１のそれぞれに別の部材を取り付け、それら部材間にガイドローラー４を回転自在に支持させてもよい。ケース１や巻き取りドラム３は、合成樹脂を成形して製作すれば、錆の発生などがなく好適であるが、これに限るものではなく、ステンレスなどの金属の板や管を加工して作製されてもよい。又、前記の例では、巻き取りドラム３を回転させるのにハンドル７が用いられる例を示したが、これに限るものではなく、バネの弾発力によってドラムを回転させても良いし、モーターの電動力を用いて回転させても良い。又、図６の破線にて示すように、前記ガイドローラ４の上面を覆うことができる板状のカバーＫを、延出部１Ｂ，１Ｂ間に取り付けて実施してもよい。【００２９】
図７〜図１０に示すように、前記出入り口１１を形成するためにケース１の開口部に取り付けた矩形状の枠部材１５に、該出入り口１１を出入りするホース２に接触する上下一対のブラシ１２，１３を備えさせている。前記枠部材１５の上端及び下端のそれぞれに、多数のブラシ毛の一端を差し込んで固定している。又、図９（ａ），（ｂ）及び図１０では、枠部材１５の上端にホルダー１４をビス止めし、そのホルダー１４の前後２箇所に左右方向に沿って所定間隔を置いて多数の凹部１４Ａ，１４Ｂを形成し、それら凹部１４Ａ，１４Ｂにブラシ１２を差し込むことにより前後２列にブラシ１２を備えさせている。又、前記ホルダー１４には、前記枠部材１５の左側の側壁から外部に突出する水平姿勢の水取込用の取込口１５Ａを備えるとともに取込口１５Ａから供給される水を案内するための案内通路１４Ｄ及び案内通路１４Ｄ内の水を下方に排出するための多数の水排出口１４Ｃが形成されている。従って、例えばホース２を巻き取る又は繰り出す際に、取込口１５Ａに水供給用ホースを差し込んでから水を供給することによって、ホース２の表面に水排出口１４Ｃを通して水を掛けることで、ホース２に付着した泥や塵などを除去することができるようになっている。図１０では、前記ホルダー１４が取り付けられた枠部材１５に前後一対の挟持部１５Ｂ，１５Ｂを備えさせ、これら挟持部１５Ｂ，１５Ｂをケース１の開口縁１Ｃに嵌め込む構成としているが、前後一対の挟持部１５Ｂ，１５Ｂを備えたリング状の縁部材（図示せず）と前記ホルダー１４が取り付けられるとともに縁部材に内嵌可能な枠部材（図示せず）とを２つの別部材から構成し、縁部材をケース１の開口縁１Ｃに嵌め込み、この嵌め込まれた縁部材の前方側から枠部材を該縁部材の内側に押し込むことにより該縁部材の被係止部に係止保持可能な係止部を該枠部材に備えさせて実施してもよい。前記上側のブラシ１２の下端と前記下側のブラシ１３の上端との間に隙間がほとんどない状態で配置しているが、ケース１の内部を視認することができる程度の隙間が形成された状態になるように、上下のブラシ１２，１３を配置してもよい。
図８では、巻き取ったホース２の先端部を係止保持するためのＵ字状の保持部材１７を水平軸芯回りで揺動自在にケース１の実線で示す水平姿勢となる使用状態と２点鎖線で示す縦姿勢となる格納状態とに切替自在に構成しているが、使用状態で固定しておいてもよいし、場合によっては、無くてもよい。前記枠部材１５に前記保持部材１７を水平軸芯回りで揺動自在に備えさせることが好ましい。【００３０】
又、図７及び図１１に示すように、前記ケース１の内部に、ホース２の表面に洗浄用水を供給するための供給パイプ１６を備えさせ、該供給パイプ１６に洗浄用水を供給するための供給口１６Ａを前記ケース１の右側の側壁から外部に突出させた状態で備えさせてもよい。従って、前記同様に、例えばホース２を巻き取る又は繰り出す際に、供給口１６Ａに水供給用ホースを差し込んでから水を供給することによって、ホース２の表面に水排出口１６Ｃを通して水を掛けることで、ホース２に付着した泥や塵などを除去することができるようになっている。【００３１】
図で示したホース２は、前記巻き取りドラム３にそれの上縁側から後縁を回って下縁へ下り、前縁側へ回って巻回するように該巻き取りドラム３を回転させる（巻き取りドラム３の右側面から見て時計回りに回転させる）構成とし、前記回転体４を前記巻き取りドラム３にて巻き取られるホース２に上方から接当するように該巻き取りドラム３の回転軸芯Ｘ１よりも上方位置に配置しているが、これとは反対にホース２を、巻き取りドラム３にそれの下縁側から後縁を回って上縁へ上り、前縁側へ回って巻回するように該巻き取りドラム３を回転させる（巻き取りドラム３の右側面から見て反時計回りに回転させる）構成とした場合には、前記回転体４を前記巻き取りドラム３にて巻き取られるホース２に下方から接当するように該巻き取りドラム３の回転軸芯Ｘ１よりも下方位置に配置して実施することになる。【００３２】
前記ケース１の上端には、門型の取っ手Ｔを水平な前後軸芯周りで揺動自在に取り付けてあり、上端面に倒れ込んだ格納姿勢と上方に立ち上がった使用姿勢とに切替自在に構成されているが、姿勢変更ができないものであってもよいし、場合によっては、取っ手Ｔを省略して実施することもできる。【００３３】
前記回転体をガイドローラー４で構成する他、図１２に示すように、左右両端から左右中央に向かうほど小さな直径となる２つのテーパー面（傾斜面）１８Ａ，１８Ｂがされた断面形状台形状の柱部材１８から構成してもよいし、又、図１３に示すように、直径の異なる多数の円柱部１９Ａ，１９Ｂ，１９Ｃ，１９Ｄを左右両端から左右中央に向かうほど小さな直径の円柱部が配置されるように構成された多段式の円柱体１９から構成してもよいし、又、図１４に示すように、円柱状の棒状体１９の左右両端から中心部に向かって２本の螺旋体２０，２１を回転方向に互いに巻き方向が反対となる状態で巻き付けたものから構成してもよい。前記螺旋体２０，２１を硬質材で構成することによって、棒状体１９を省略して螺旋体２０，２１のみで回転体を構成することもできる。【００３４】
図１５に示すように、前記ケース１を下端が開放された矩形状の回転部材２２上に固定しておけば、上下軸芯Ｘ３周りでケース１を回転させることができ、どのような方向へもケース１を持ち上げて向き変更することが不要になり、便利に使用することができる利点がある。前記回転部材２２は、それの内部に備えるとともに地面上に置かれている支持台（図示せず）上に回転自在に取り付けられている。【００３５】
図１６に示すように、前記ハンドル７を前後方向の水平軸芯Ｘ４周りで揺動自在にアーム１０の先端に取り付け、前記水平姿勢のハンドル７を水平軸芯Ｘ４周りで揺動させて図１６の２点鎖線で示すように上方に姿勢変更したときに、ハンドル７の一部を格納するための凹部１０Ａをアーム１０に形成している。従って、運搬時や保管時において水平方向に突出しているハンドル７を凹部１０Ａ内に格納することによって、多数のホースリールを上下方向に積み上げたり、水平方向に並べる場合に、嵩張ることがないだけでなく、他物がハンドル７に接当してハンドル７が損傷してしまうことを回避しやすい利点がある。又、図１６では、前記凹部１０Ａが天井面１０ａと底面１０ｂとこれら上下水平面１０ａ，１０ｂの奥部側同士を上下方向で繋ぐ背面１０ｃとからなり、運搬時にはハンドル７の長手方向が上方に沿った格納姿勢にしておき、使用時においてハンドル７を水平姿勢にすることにより、ハンドル７の後面７Ａが凹部１０Ａを構成する背面１０ｃに接当する状態とすることによって、ハンドル７が格納姿勢に変更されることがないように構成している。尚、前記ハンドル７が格納姿勢側へ容易に揺動されることがない程度にハンドル７の後面７Ａと凹部１０Ａの背面１０ｃとの間に隙間を形成する状態で実施してもよい。又、使用姿勢のハンドル７の下面と凹部１０Ａの底面１０ｂとの間に隙間が無い状態にすれば、更にハンドル７が格納姿勢側へ容易に揺動されることを阻止することができ、好ましい。前記実線で示す水平姿勢のハンドル７を左右方向の水平軸芯Ｘ５周りで回転させることによって、巻き取りドラム３を回転することができる。
【図１】
2007080747.tif 000003
【図２】
2007080747.tif 000004
【図３】
2007080747.tif 000005
【図４】
2007080747.tif 000006
【図５】
2007080747.tif 000007
【図６】
2007080747.tif 000008
【図７】
2007080747.tif 000009
【図８】
2007080747.tif 000010
【図９】
2007080747.tif 000011
【図１０】
2007080747.tif 000012
【図１１】
2007080747.tif 000013
【図１２】
2007080747.tif 000014
【図１３】
2007080747.tif 000015
【図１４】
2007080747.tif 000016
【図１５】
2007080747.tif 000017
【図１６】
2007080747.tif 000018
【国際調査報告】
2007080747.tif 000019
2007080747.tif 000020